【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
画像を表示する表示手段と、
異なる複数の操作方法に対応して、それぞれ異なる複数の機能を割り当てられた操作部材と、
前記操作部材が、前記複数の操作方法の内、第１の操作方法で操作された場合は、前記操作部材の操作時に表示されている画像と同時に、前記操作部材に割り当てられた機能を示す画像を表示する、第１の表示モードで前記表示手段に画像を表示し、第２の操作方法で操作された場合は、前記第１の表示モードと異なり、複数の画像を同時に表示する第２の表示モードで前記表示手段に画像を表示するように制御する制御手段と
を有することを特徴とする画像処理装置。
【請求項２】
前記制御手段は、前記第１の表示モードでは、前記操作部材の操作時に表示されている画像に、前記操作部材に割り当てられた機能を示す画像を重畳表示するように制御し、前記第２の表示モードでは、予め生成され、記憶された前記複数の画像を同時に表示するように制御することを特徴とする請求項１に記載の画像処理装置。
【請求項３】
前記第１の操作方法は前記操作部材における該操作部材を操作するための接触位置の連続移動量が予め設定された閾値より小さい操作方法であり、前記第２の操作方法は前記接触位置の連続移動量が前記予め設定された閾値以上である操作方法であることを特徴とする請求項１または２に記載の画像処理装置。
【請求項４】
前記第１の操作方法は前記操作部材における該操作部材を操作するための接触位置の移動速度を予め設定された閾値以下とする操作方法であり、前記第２の操作方法は前記接触位置の移動速度が前記予め設定された閾値より大きい操作方法であることを特徴とする請求項１または２に記載の画像処理装置。
【請求項５】
前記操作部材の前記接触位置を検知する検知手段を更に有し、
前記制御手段は、前記検知手段により検知された接触位置に基づいて、前記接触位置の移動を判断することを特徴とする請求項３または４に記載の画像処理装置。
【請求項６】
前記操作部材が押下されたかどうかを検知する第２の検知手段を更に有し、
前記制御手段は、前記第１の表示モードにおいて、前記第２の検知手段により前記操作部材の押下が検知された場合に、該押下検知時の前記操作部材の接触位置に割り当てられた機能に対応する処理を実行し、実行結果を表示するように制御することを特徴とする請求項３乃至５のいずれか１項に記載の画像処理装置。
【請求項７】
前記制御手段は、前記第１の表示モードにおいて、前記操作部材の前記接触位置に割り当てられた機能を強調表示するように制御することを特徴とする請求項３乃至６のいずれか１項に記載の画像処理装置。
【請求項８】
前記制御手段は、前記第１の表示モードで画像を表示中に前記第１の操作方法による操作が解除された場合に、解除されてから予め設定された時間は、前記第１の表示モードでの表示を継続するように制御することを特徴とする請求項１乃至７のいずれか１項に記載の画像処理装置。
【請求項９】
画像を表示する表示手段と操作部材とを有する画像処理装置の制御方法であって、
判断手段が、前記操作部材が第１の操作方法で操作されたか、前記第１の操作方法と異なる第２の操作方法で操作されたかを判断する判断ステップと、
機能割り当て手段が、前記操作部材により実行指示可能な機能として、前記第１の操作方法と判断された場合に第１の機能を割り当て、前記第２の操作方法と判断された場合に前記第１の機能と異なる第２の機能を割り当てる機能割り当てステップと、
前記第１の操作方法と判断された場合に、制御手段が、前記操作部材の操作時に表示されている画像と同時に、前記操作部材に割り当てられた機能を示す画像を表示する、第１の表示モードで前記表示手段に画像を表示させる第１の表示ステップと、
前記第２の操作方法と判断された場合に、前記制御手段が、前記第１の表示モードと異なり、複数の画像を同時に表示する第２の表示モードで前記表示手段に画像を表示させる第２の表示ステップと
を有することを特徴とする制御方法。
【請求項１０】
情報処理装置に、請求項９に記載の制御方法の各ステップを実行させるためのプログラム。
【請求項１１】
請求項１０に記載のプログラムを格納したことを特徴とする情報処理装置が読み取り可能な記憶媒体。
【請求項１２】
画像を表示する表示手段と、
前記表示手段とは異なる位置に配置され、異なる複数の操作方法に対応して、それぞれ異なる複数の機能を割り当てられた操作部材と、
前記操作部材への接触を検出する接触検出手段と、
前記操作部材への物理的操作を検出する物理的操作検出手段と、
前記接触検出手段によって検出される前記接触を含む第１の操作方法での前記操作部材への操作を検出した場合に、前記操作部材の操作前から表示されている画像と同時に、前記物理的操作検出手段によって検出される前記物理的操作を含む第２の操作方法での前記操作部材への操作を検出したときに実行される機能のガイドを前記表示手段に表示し、前記第１及び第２の操作方法と異なる第３の操作方法により前記操作部材が操作された場合に、前記操作部材が操作される前に表示されていた画像と異なる画像を前記表示手段に表示するように制御する制御手段と
を有することを特徴とする画像処理装置。
【請求項１３】
画像を表示する表示手段と、
前記表示手段とは異なる位置に配置され、異なる複数の操作方法に対応して、それぞれ異なる複数の機能を割り当てられた操作部材と、
前記操作部材への接触を検出する接触検出手段と、
前記操作部材への物理的操作を検出する物理的操作検出手段とを有する画像処理装置の制御方法であって、
前記接触検出手段によって検出される前記接触を含む第１の操作方法での前記操作部材への操作を検出した場合に、前記操作部材の操作前から表示されている画像と同時に、前記物理的操作検出手段によって検出される前記物理的操作を含む第２の操作方法での前記操作部材への操作を検出したときに実行される機能のガイドを前記表示手段に表示するガイド表示ステップと、
前記第１及び第２の操作方法と異なる第３の操作方法により前記操作部材が操作された場合に、前記操作部材が操作される前に表示されていた画像と異なる画像を前記表示手段に表示するように制御する制御ステップと
を有することを特徴とする画像処理装置の制御方法。
【請求項１４】
情報処理装置に、請求項１３に記載の制御方法の各ステップを実行させるためのプログラム。
【請求項１５】
請求項１４に記載のプログラムを格納したことを特徴とする情報処理装置が読み取り可能な記憶媒体。
【手続補正２】
【補正対象書類名】明細書
【補正対象項目名】０００５
【補正方法】変更
【補正の内容】
【０００５】
本発明は上記問題点を鑑みてなされたものであり、本発明の請求項１に記載の画像処理装置は、画像を表示する表示手段と、異なる複数の操作方法に対応して、それぞれ異なる複数の機能を割り当てられた操作部材と、前記操作部材が、前記複数の操作方法の内、第１の操作方法で操作された場合は、前記操作部材の操作時に表示されている画像と同時に、前記操作部材に割り当てられた機能を示す画像を表示する、第１の表示モードで前記表示手段に画像を表示し、第２の操作方法で操作された場合は、前記第１の表示モードと異なり、複数の画像を同時に表示する第２の表示モードで前記表示手段に画像を表示するように制御する制御手段とを有する。
【手続補正３】
【補正対象書類名】明細書
【補正対象項目名】０００６
【補正方法】変更
【補正の内容】
【０００６】
また、請求項１２に記載の画像処理装置は、画像を表示する表示手段と、前記表示手段とは異なる位置に配置され、異なる複数の操作方法に対応して、それぞれ異なる複数の機能を割り当てられた操作部材と、前記操作部材への接触を検出する接触検出手段と、前記操作部材への物理的操作を検出する物理的操作検出手段と、前記接触検出手段によって検出される前記接触を含む第１の操作方法での前記操作部材への操作を検出した場合に、前記操作部材の操作前から表示されている画像と同時に、前記物理的操作検出手段によって検出される前記物理的操作を含む第２の操作方法での前記操作部材への操作を検出したときに実行される機能のガイドを前記表示手段に表示し、前記第１及び第２の操作方法と異なる第３の操作方法により前記操作部材が操作された場合に、前記操作部材が操作される前に表示されていた画像と異なる画像を前記表示手段に表示するように制御する制御手段とを有する。